(57)【要約】【課題】偽造防止用紙を生産する上で、その生産効率と歩留まりの向上を図るのに好適な偽造防止用紙を提供する。【解決手段】２色サーマル紙２に情報３をプリンタで印字するとともに、同プリンタを用いて情報３の印字色とは異なる色で２色サーマル紙２に偽造防止要素４を地紋状に印字することにより、偽造防止用紙１が生産されるものとする。これにより情報３の印字と同じプリンタで偽造防止要素４も印字することができ、情報３と偽造防止要素４の表示を一の印字工程で済み、従来行なわれていた偽造防止要素の印刷工程は廃止する。【選択図】　図１
2004098519.tif 000002
【特許請求の範囲】
【請求項１】
プリンタを用いて用紙に情報を印字するとともに、この情報の印字と同じプリンタを用いて上記情報の印字色とは異なる色で上記用紙に偽造防止要素を地紋状に印字することを特徴とする偽造防止用紙の製造方法。
【請求項２】
発色数が２色のサーマル紙を用い、
上記サーマル紙において１色を発色させることにより該サーマル紙に情報を印字するとともに、上記サーマル紙において上記情報の印字色とは異なる１色を発色させることにより該サーマル紙に偽造防止要素を地紋状に印字することを特徴とする偽造防止用紙の製造方法。
【請求項３】
上記偽造防止要素は網点方式またはスラー方式の偽造防止構造、若しくは、網点方式とスラー方式を組み合わせた偽造防止構造からなることを特徴とする請求項１または２に記載の偽造防止用紙の製造方法。
【請求項４】
上記偽造防止要素は隠し模様を含み、この隠し模様は上記用紙に情報として印字された目視可能な数字と同一の数字からなることを特徴とする請求項１ないし請求項３に記載の偽造防止用紙の製造方法。
【請求項５】
請求項１ないし請求項４のうちいずれか一項の方法によって製造されることを特徴とする偽造防止用紙。
【発明の詳細な説明】
【０００１】
【発明の属する技術分野】
本発明は、効率よく生産でき、かつ歩留まりの向上も図れる偽造防止用紙とその製造方法に関する。
【０００２】
【従来の技術】
コンサート等の各種チケットや商品券等には網点方式またはスラー方式等の偽造防止手段を施したものがある（例えば、特許文献１参照。）。このような偽造防止手段が施されているチケット等の偽造防止用紙を製造するには、従来は、まず印刷機械による印刷工程で用紙に偽造防止要素を印刷し、次にプリンタによる印字工程で当該用紙の印刷面に例えばチケット発行年月日等、所望の情報を印字するものとしている。
【０００３】
しかしながら、上記のような従来の偽造防止用紙の製造方法によると、印刷工程と印字工程という別個独立の２工程を経て生産されるので、手間がかかり、製造効率が悪い。また、印刷工程と印字工程という２つの工程で不良品が発生する可能性があり、歩留まりも悪い等の問題点がある。
【０００４】
【特許文献１】
特開平８−１６９１９３号公報
【０００５】
【発明が解決しようとする課題】
本発明は上述の事情に鑑みてなされたもので、その目的とするところは、製造効率と歩留まりの向上を図るのに好適な偽造防止用紙とその製造方法を提供することにある。
【０００６】
【課題を解決するための手段】
上記目的を達成するために、本発明は、プリンタを用いて用紙に情報を印字するとともに、この情報の印字と同じプリンタを用いて上記情報の印字色とは異なる色で上記用紙に偽造防止要素を地紋状に印字することを特徴とする偽造防止用紙の製造方法を提供する。
【０００７】
本発明は、発色数が２色のサーマル紙を用い、上記サーマル紙において１色を発色させることにより該サーマル紙に情報を印字するとともに、上記サーマル紙において上記情報の印字色とは異なる１色を発色させることにより該サーマル紙に偽造防止要素を地紋状に印字することを特徴とする偽造防止用紙の製造方法を提供する。
【０００８】
また、本発明によれば、前記製造方法によって製造されることを特徴とする偽造防止用紙が提供される。
【０００９】
本発明において、上記偽造防止要素については、例えば、網点方式またはスラー方式の偽造防止構造、若しくは、網点方式とスラー方式を組み合わせた偽造防止構造、その他これらに類似の偽造防止構造を採用することができる。
【００１０】
本発明において、上記偽造防止要素は隠し模様を含み、この隠し模様は上記用紙に情報として印字された目視可能な数字と同一の数字からなる構成を採用することができる。
【００１１】
本発明において、「印字」とはサーマルプリンタ、インクジェット式プリンタ、ＮＩＰプリンタ、レーザプリンタ等のプリンタによる印字を含み、凸版印刷、平板印刷、凹版印刷等のように印刷版を用いる印刷は「印字」に含まれない。
【００１２】
【発明の実施の形態】
以下、本発明の実施形態について図１および図２を基に詳細に説明する。
【００１３】
図１に示した偽造防止用紙１は発色数が２色、具体的には薄緑色と黒色に発色するサーマル紙２（以下「２色サーマル紙」という。）を用いて製造したものである。この偽造防止用紙１には情報３と偽造防止要素４が印字されている。本実施形態では、情報３は黒色で印字し、偽造防止要素４は薄緑色で地紋状に印字するものとした。
【００１４】
上記のように黒色で表示される情報３の印字と薄緑色で表示される偽造防止要素４の印字は市販の２色サーマル紙対応プリンタで同時に行なうことができる。具体的には、２色サーマル紙対応プリンタのサーマルヘッドで２色サーマル紙２の黒色を発色させることにより該２色サーマル紙２に情報３を印字し、これと同時に、同プリンタのサーマルヘッドで２色サーマル紙２の薄緑色を発色させることにより該２色サーマル紙２に偽造防止要素４を地紋状に印字すればよい。
【００１５】
上記情報３の内容は偽造防止用紙１の用途に応じて異なる。例えば、この偽造防止用紙１を商品券に適用する場合は商品券である旨の表示、金額、発券年月日等が情報３として印字され、また、コンサートのチケットに適用する場合はチケット発行年月日、コンサート開催年月日、指定席番号、その他のコンサート情報が情報３として印字される。
【００１６】
上記偽造防止要素４については網点方式の偽造防止構造が採用されている。この方式の偽造防止構造は、隠し模様と背景とを異なる大きさの網点で構成する構造であり、本実施形態では、小さな網点５−１で背景６を構成し、この背景６の中に大きな網点５−２で隠し模様７を配置してなる構造を採用した。
【００１７】
上記のような背景６を構成する小さな網点５−１と、隠し模様７を構成する大きな網点５−２とにより偽造防止用紙１全体の地紋が構成される。この偽造防止用紙１を複写機等でコピーすると、網点５−１、５−２の大小の差が濃淡の差となり、通常は見えない隠し模様７だけが鮮明にコピーされ出現する。また、図示は省略するが、背景を大きな網点で構成し、かつ隠し文字を小さな網点で構成することもでき、これをコピーすると、コピーされた背景の中に隠し模様が白抜きの状態となって鮮明に現れる。
【００１８】
上記実施形態では偽造防止要素４として網点方式の偽造防止構造を採用した例について説明したが、これに代えて、スラー方式（細線または万線方式とも称する。）の偽造防止構造、若しくは網点方式とスラー方式を組み合わせた偽造防止構造を採用してもよい。
【００１９】
スラー方式の偽造防止構造とは、隠し模様と背景とを異なる線数、濃度、角度等の細線または万線で構成する構造をいう。この種スラー方式の偽造防止構造としては、例えば、背景と隠し模様とを角度の異なる一定ピッチの万線または細線で構成するとともに、その隠し模様の上に重ねて例えば複雑な細線で彩紋を形成する構造があり、これを偽造防止要素４として採用してもよい。
【００２０】
網点方式とスラー方式を組み合わせた偽造防止構造としては、例えば、地紋を構成する背景と隠し模様のうち、いずれか一方を細線または万線で構成するとともに、いずれか他方を網点で構成する構造があり、これを偽造防止要素４として採用してもよい。
【００２１】
上記実施形態の偽造防止用紙１にあっては、２色サーマル紙対応プリンタを用いて２色サーマル紙２に情報３を印字するとともに、同プリンタを用いて情報３の印字色とは異なる色で２色サーマル紙２に偽造防止要素４を地紋状に印字してなる構成を採用したものである。このため、情報３の印字と同じプリンタで偽造防止要素４も印字することができ、情報３と偽造防止要素４の表示を入れる作業が一の印字工程で済み、従来行なわれていた偽造防止要素の印刷工程は不要となる。したがって、偽造防止用紙の製造に手間がかからず、その製造効率の向上を図ることができるとともに、印字工程での不良品しか発生しないから、歩留まりの向上も図れる。
【００２２】
また、上記実施形態の偽造防止用紙１によると、印字パターンの変更により網点方式やスラー方式等のように異なる種類の偽造防止要素４を必要に応じて適宜変更することができ、偽造防止要素４の可変性が高く、オンデマンドで偽造防止用紙１を製造するのに適している。
【００２３】
上記実施形態においては黒色と薄緑色に発色する２色サーマル紙を用いた例について説明したが、それ以外の色に発色するサーマル紙を用いることもでき、また、サーマル紙の発色数は２色に限定されることはなく、２色以上発色するサーマル紙を用いることもできる。さらに、サーマル紙以外の用紙を用い、この用紙に情報をインクジェット式プリンタ若しくはＮＩＰプリンタ等で印字するとともに、同プリンタを用い上記情報の印字色とは異なる色で当該用紙に偽造防止要素を地紋状に印字する構成を採用することもでき、この構成の場合もプリンタでの印字工程のみで用紙に情報と偽造防止要素の表示を入れることができるので、上記２色サーマル紙の例と同様な効果が得られる。
【００２４】
図１に示したように、偽造防止要素４中に含まれる隠し模様７については、コピー偽造品であることを明示するために一般によく用いられる「ＣＯＰＹ」という文字を採用することができるが、チェックデジット機能を持たせるために、図２に示したように、偽造防止用紙１ごとに異なる数字３−１を該偽造防止用紙１に情報３として目視可能に印字し、かつ、この目視可能な数字３−１と同一の数字７−１を隠し模様７とすることもできる。このような構成によると、コピー品には隠し模様の数字７−１が鮮明に現れるので、これを見ればコピー偽造品であることが分かるほか、上記のような目視可能な数字３−１は偽造防止用紙１ごとに異なる可変の数字であり、この数字に対応して隠し模様７の数字も偽造防止用紙１ごとに異なることから、隠し模様７の数字７−１も個別に偽造しなければならず、偽造し難いという効果も得られる。なお、数字以外に記号や文字を用いても上記と同様な効果が得られる。
【００２５】
【発明の効果】
本発明にあっては、上記の如く、プリンタを用いて用紙に情報を印字するとともに、同プリンタを用いて上記情報の印字色とは異なる色で上記用紙に偽造防止要素を地紋状に印字してなる構成を採用したため、情報の印字と同じプリンタで偽造防止要素も印字することができ、情報と偽造防止要素の表示を入れる作業が一の印字工程で済み、この種の偽造防止用紙の製造に手間がかからず、偽造防止用紙の製造効率の向上を図ることができるとともに、印字工程での不良品しか発生しないから、歩留まりの向上も図れる。
【図面の簡単な説明】
【図１】図１は本発明の製造方法によって製造された偽造防止用紙の一実施形態の説明図であって、同図（ａ）はその偽造防止用紙の平面図、同図（ｂ）は（ａ）中のＡ−Ａ線断面図である。
【図２】本発明の製造方法によって製造された偽造防止用紙の他の実施形態を示した平面図。
【符号の説明】
１　偽造防止用紙
２　サーマル紙
３　情報
３−１　数字（情報）
４　偽造防止要素
５−１　小さな網点
５−２　大きな網点
６　背景
７　隠し模様
７−１　数字（隠し模様）
【図１】
2004098519.tif 000003
【図２】
2004098519.tif 000004